(57)【要約】【課題】誰でも簡単にネックレス等を連結したり外したりの操作を行うことができる装身具用留め具を提供すること。【解決手段】  雄部７０を雌部１０に挿入すると、開閉部材６０の底面に雄部７０が当接してこれを押し上げる方向に力が加わる。その結果、軸５０を中心に開閉部材６０が上方向に回転運動を行い、雌部１０の下側に隙間ができるのでそこから雄部７０が内部に挿入することができる。一方、雄部７０を雌部１０から取り外す場合、雄部７０で開閉部材６０を押すと雌部１０の下側に隙間ができるので、雄部１０をそのまま下に移動すれば雄部７０を雌部１０から取り外すことができる。【選択図】      図１
2006130020.tif 000002
【特許請求の範囲】
【請求項１】
ネックレス等の装身具の一方の端部と連結された第一の連結部材とこのネックレス等の他方の端部と連結された第２の連結部材とからなり、前記第一の連結部材と第２の連結部材により前記装身具をリング状に連結したり離したりする装身具用留め具において、
前記第一の連結部材は前記第２の連結部材が挿入される挿入口となる空隙とこの空隙を塞ぐ開閉部材を有し、
前記開閉部材は弾性部材により第一の方向に付勢されこの第一の方向とその逆の直線方向に移動可能であるとともに、この直線方向と略垂直な第二の方向およびその逆方向に回動可能なように軸支され、
前記第一の連結部材の挿入口に前記第二の連結部材が挿入されると、その力で前記開閉部材が第二の方向に回動されて前記挿入口となる空隙より前記第二の連結部材が第一の連結部材に連結され、
前記第二の連結部材により前記開閉部材が前記第一の方向と逆の方向に押されると、前記挿入口となる空隙が形成されて前記第一の連結部材と第二の連結部材とが離れることを特徴とする装身具用留め具。
【請求項２】
請求項１に記載のネックレス用留め具において、前記第二の連結部材はその先端がＹ字形に広がってこの両端内側には軸が取り付けられ、この軸が前記開閉部材に当接することで前記第一の連結部材と第二の連結部材の連結および切り離しが行われることを特徴とする装身具用留め具。
【発明の詳細な説明】
【技術分野】
【０００１】
本発明は装身具用留め具、より具体的にはネックレスやブレスレット等を簡易に首や手に装着するための留め具に関する。
【背景技術】
【０００２】
装身具、特にネックレス用の留め具としては、図８に示す引き輪１００とこれに着脱自在なプレート１１０とを組み合わせたものが一般的である。引き輪１００は、本体１０２にコの字形に接合されたリング取付部１０８を介して、ネックレスチェーン８４の一端であるリング８２ｂが取り付けられている。また、プレート１１０は、その端部に穿設された穴１１６にネックレスチェーン８４の他端であるリング８２ａが取り付けられている。
【０００３】
引き輪１００は、本体１０２の中に図示しないスプリングに付勢された円弧状のスライド棒１０６が内臓されている。このスライド棒１０６にはレバー１０４が取り付けられており、スライド棒１０６はレバー１０４の動きに連動する。すなわち、レバー１０４を矢印Ｊの反時計方向に動かすと、スライド棒１０６も矢印Ｋの反時計方向に動き、本体１０２に隙間が形成される。この隙間からプレート１１０に穿設された矩形状の穴１１２を挿入することで、引き輪１００とプレート１１０とが連結される。
【０００４】
スライド棒１０６は、スプリングによって矢印Ｋの時計方向に付勢されているため、レバー１０４を離すと元に戻り、プレート１１０の挿入時の隙間は図示のようになくなる。これにより、ネックレス８４を身に付けている時に引き輪１００からプレート１１０が外れることは無い。
【発明の開示】
【発明が解決しようとする課題】
【０００５】
しかしながら、図８に示した従来技術では、引き輪１００とプレート１１０とを連結したり外したりの操作が非常にやり難いものであった。具体的には、連結する場合、一方の手で引き輪１００の本体１０２を持ちながらその手でレバー１０４を反時計方向に回し、他方の手でプレート１１０を持ちその穴１１２を本体１０２に形成された僅かな隙間に通さなければならず、それぞれの手で異なる２方向の動作をしなければならなかった。これらの動きは連結時だけではなく取り外す場合も同じであり、引き輪１００とプレート１１０の形状が小さく、また、その取り付けは首の後ろで目に見えない状態で行うことが多いため、特に高齢になるほどその取付や取外し操作の負担が大きかった。
【０００６】
本発明はこのような従来技術の課題を解決し、誰でも簡易にネックレス等を連結したり外したりの操作を行うことができる装身具用留め具を提供することを目的とする。また、本発明は、例えば、高齢等の障害に関わらず、できるだけ多くの人が簡単にネックレス等を身につけて楽しむことができるよう、いわゆるユニバーサルデザインの概念を具現した装身具用留め具を提供することを目的とする。
【課題を解決するための手段】
【０００７】
本発明は上記課題を解決するための手段として、請求項１に記載された発明は、ネックレス等の装身具の一方の端部と連結された第一の連結部材とこのネックレス等の他方の端部と連結された第２の連結部材とからなり、第一の連結部材と第２の連結部材により装身具をリング状に連結したり離したりする装身具用留め具において、第一の連結部材は前記第２の連結部材が挿入される挿入口となる空隙とこの空隙を塞ぐ開閉部材を有し、開閉部材は弾性部材により第一の方向に付勢されこの第一の方向とその逆の直線方向に移動可能であるとともに、この直線方向と略垂直な第二の方向およびその逆方向に回動可能なように軸支され、第一の連結部材の挿入口に第二の連結部材が挿入されると、その力で開閉部材が第二の方向に回動されて挿入口となる空隙より第二の連結部材が第一の連結部材に連結され、第二の連結部材により開閉部材が第一の方向と逆の方向に押されると、挿入口となる空隙が形成されて第一の連結部材と第二の連結部材とが離れる。また、
【０００８】
請求項２に記載された発明は、第二の連結部材はその先端がＹ字形に広がってこの両端内側には軸が取り付けられ、この軸が開閉部材に当接することで第一の連結部材と第二の連結部材の連結および切り離しが行われる。
【発明の効果】
【０００９】
本発明によれば、誰でも簡単にネックレス等を連結したり外したりすることができる。したがって、身に付ける際の負担が軽減されるので必然的に使用頻度も多くなるという効果が期待できる。
【発明を実施するための最良の形態】
【００１０】
次に本発明による装身具用留め具の実施の形態を図面を用いて説明する。図１は本発明による装身具用留め具をネックレス用留め具に適用したときの実施の形態を示す斜視図である。
【００１１】
図１に示すようにネックレス用留め具１は、キャスト加工またはプレス加工で成型された雌部１０および雄部７０により構成されており、その材質が例えばプラチナ、金、銀または銅等の貴金属である。雌部１０および雄部７０は、ネックレスチェーン８４の２つの端部に取り付けられ、これらを連結する連結部材として機能する。
【００１２】
雌部１０はその後端が円形の蓋２０で密閉されており、この蓋２０と一体成形された取付穴２２にネックレスチェーン８４の一方の端部のリング８２ｂが取り付けられている。また、雌部１０はその先端がフック形状になっており、その内部には開閉部材６０が回転運動および直線運動が可能なように軸５０に取り付けられている。
【００１３】
雄部７０はその先端がＹ字形状に広がっているとともに、その胴部は手で持ちやすいようにＹ字に対して垂直な楕円形のプレート状になっている。雄部７０の後端には雌部１０と同様に取付穴７６が一体成形されており、これにネックレスチェーン８４の他方の端部のリング８２ａが取り付けられている。
【００１４】
図２は雌部１０と雄部７０とを連結した状態での側面図（Ａ）と上面図（Ｂ）である。なお、側面図（Ａ）において、雌部１０はその内部が解るように部分断面図が示されている。図２に示すように、雌部１０は頭部１２がフック形状になっており、本体１１の内部にはスプリング３０、押さえパーツ４０および開閉部材６０が内臓されている。また、開閉部材６０の上部はこれが突出可能なように本体１１に開口部１２が形成されている。
【００１５】
開閉部材６０はその真中にスリット６４が形成され、これに軸５０が貫通しているとともに、押さえパーツ４０を介してスプリング３０によって頭部１２側に付勢されている。このような構造により、開閉部材６０は側面図（Ａ）に示すように何もしない状態ではスリット６４の右端（蓋２０側）が軸５０に当接しているが、下から力が加わると開口部１４側に回動したり、前から力が加わると右側に移動することができる。
【００１６】
図３は雄部７０の斜視図、雌部１０の分解斜視図およびこの本体１１の断面斜視図が示されている。雄部７０はＹ字部７２ａおよびＹ字部７２ｂが形成され、これの先端内側には丸棒７４が取り付けられている。この丸棒７４は開閉部材６０を動かす部材であり、これにより雄部７０と雌部１０との連結または切り離しが行われる。
【００１７】
雌部１０の内部は円筒形の空洞部１０が形成され、この中に押さえパーツ４０およびスプリング３０が取り付けられる。押さえパーツ４０は、半径の異なる２つの円柱を合体させた形状であり、半径の大きな厚みの薄い円柱の円形面が空洞部１９のセンター付近に形成された縦にスリットの入った端面１８に係止される。また、半径の小さな円柱はスプリング３０よりも若干半径が小さく形成され、スプリング３０の一端が挿入される。スプリング３０は空洞部１９より若干寸法が長くなっており、蓋２０により密閉されるとその弾性力により押さえパーツ４０を付勢する。
【００１８】
図４は雌部１０の本体をＸ，ＹおよびＺの位置で切断したときの切断面を示したものである。なお、ここではＸおよびＹは頭部１２側（左側）から見た切断面１５ａ、１５ｂであり、Ｚは蓋２０側（右側）から見た切断面１５ｃである。図４および図３に図示したように、雌部１０の内部はスプリング３０が挿入される円筒形の空洞の他に、開閉部材６０が直線運動ができるようにこれが遊嵌される縦のスリットが形成されている。この縦のスリットは開閉部材６０の長さの約半分の寸法に亘って形成されており、開閉部材６０が前から押されるとこれが移動して十分な隙間が雌部１０の下側にできる。
【００１９】
図５は雄部７０を雌部１０に取り付ける（連結する）ときの動作を示したものであり、図６は雄部７０を雌部１０から取り外す（切り離す）ときの動作を示したものである。図５において、雄部７０を矢印Ａに示したように雌部１０に挿入すると、丸棒７４が開閉部材６０の底面に当接してこれを押し上げる方向に力が加わる。その結果、軸５０を中心に開閉部材６０が矢印Ｂに示すように回転運動を行うので、雌部１０の下側に隙間ができそこから雄部７０を内部に挿入することができる。挿入後は開閉部材６０はスプリング３０によって元の位置にもどるので、雄部７０が装着中に外れることは無い。
【００２０】
一方、雄部７０を雌部１０から取り外す場合、図６に示すように、雄部７０を矢印Ｃの方向に動かすと、丸棒７４が開閉部材６０の先端面に当接してこれを矢印Ｄの方向に移動させるので、先程と同様に、雌部１０の下側に隙間１２ａができる。これにより、雄部１０を矢印Ｅに示すようにそのまま下に移動すれば雄部７０を雌部１０から取り外すことができる。
【００２１】
ネックレスやブレスレット等を首や手に装着している状態の留め具は、雄部７０は雌部１０の頭部１２に外側方向に引っ張られつつ挿通しており、例えば、指などで押圧しない限り、雄部７０が開閉部材６０の先端面に当接して矢印Ｃの方向に移動するということは考えられない。したがって、留め具の通常の使用状態においては、雄部７０が雌部１０から外れることはない。
【００２２】
図７は雌部１０の製造工程を示している。同図に示すように、フック形状になる頭部１２は開閉部材６０を装着する前は取付が容易なように真っ直ぐになっている。開閉部材６０を矢印Ｆに示すように本体１１の内部に挿入し、スリット６４に軸５０を貫通させたら、軸５０の本体から突出している両端をかしめて本体１１から外れないようにする。軸５０のかしめ加工が終わったら頭部１２がフック形状になるように矢印Ｇに示すように円形に曲げる。
【００２３】
頭部１２をフック形状に曲げた後、矢印Ｈに示すように押さえパーツ４０、スプリング３０をこの順番で本体１１の内部に挿入し、最後に蓋２０を取り付ける。蓋２０は本体１１から外れないようにレーザで溶接する。
【００２４】
以上の如く、本発明の実施の形態を図面を用いて説明したが、本発明は特にこれら実施の形態に限定されるものではなく、本発明の精神を逸脱しない種々の変形は本発明の範疇に含まれる。すなわち、本実施の形態ではネックレス用留め具に本発明を適用したが、特にこれに限定されるものではなく、例えばブレスレット等にも適用可能である。また、本実施の形態では雄部をＹ字形状としたが、特にこれに限定されるものではなく、例えば引き輪等でも代用可能である。さらに、留め具１の材質は特に貴金属に限定されるものではなく、ステンレスやチタン等の金属であってもよい。
【図面の簡単な説明】
【００２５】
【図１】本発明による装身具用留め具をネックレス用留め具に適用したときの実施の形態を示す斜視図である。
【図２】図１に示したネックレス用留め具の側面図および上面図である。
【図３】図１に示したネックレス用留め具の分解斜視図である。
【図４】図１に示したネックレス用留め具の雌部の断面図である。
【図５】図１に示したネックレス用留め具の雄部と雌部を連結するときの動作説明図である。
【図６】図１に示したネックレス用留め具の雄部と雌部を切り離すときの動作説明図である。
【図７】図１に示したネックレス用留め具の雌部の製造工程図である。
【図８】従来技術におけるネックレス用留め具を示した斜視図である。
【符号の説明】
【００２６】
１  ネックレス用留め具
１０  雌部
１１  本体
１２  頭部
１４  開口部
２０  蓋
３０  スプリング
４０  押さえパーツ
５０  軸
６０  開閉部材
７０  雄部
７４  丸棒
【図２】
2006130020.tif 000003
【図５】
2006130020.tif 000004
【図６】
2006130020.tif 000005
【図１】
2006130020.tif 000006
【図３】
2006130020.tif 000007
【図４】
2006130020.tif 000008
【図７】
2006130020.tif 000009
【図８】
2006130020.tif 000010